(57)【要約】【課題】  コンタクトレンズの殺菌乃至は消毒操作における安全性を高め得るコンタクトレンズ殺菌／消毒液用失活剤を提供すること。【解決手段】  カチオン性の殺菌剤若しくは消毒剤を含むコンタクトレンズ殺菌／消毒液に接触して、該殺菌／消毒液の殺菌力又は消毒力を、コンタクトレンズの殺菌乃至は消毒に充分な時間の経過後において低下乃至は消失させる失活剤を、アニオン性モノマーと親水性を有するノニオン性モノマーとの共重合によって得られる親水性のアニオン性コポリマーより構成した。【選択図】          なし【特許請求の範囲】
【請求項１】
カチオン性の殺菌剤若しくは消毒剤を含むコンタクトレンズ殺菌／消毒液に接触して、該殺菌／消毒液の殺菌力又は消毒力を、コンタクトレンズの殺菌乃至は消毒に充分な時間の経過後において低下乃至は消失させる失活剤にして、
アニオン性モノマーと親水性を有するノニオン性モノマーとの共重合によって得られる親水性のアニオン性コポリマーから構成されていることを特徴とするコンタクトレンズ殺菌／消毒液用失活剤。
【請求項２】
前記アニオン性モノマーと前記ノニオン性モノマーとが、９０：１０〜１０：９０の重量割合において共重合せしめられている請求項１に記載のコンタクトレンズ殺菌／消毒液用失活剤。
【請求項３】
前記ノニオン性モノマーが、水酸基含有（メタ）アクリレートであり、且つ前記アニオン性モノマーと該ノニオン性モノマーとが、９０：１０〜５０：５０の重量割合において共重合せしめられている請求項１に記載のコンタクトレンズ殺菌／消毒液用失活剤。
【請求項４】
前記ノニオン性モノマーが、（メタ）アクリルアミド若しくはそのＮ置換誘導体であり、且つ前記アニオン性モノマーと該ノニオン性モノマーとが、７０：３０〜３０：７０の重量割合において共重合せしめられている請求項１に記載のコンタクトレンズ殺菌／消毒液用失活剤。
【請求項５】
前記親水性のアニオン性コポリマーが、架橋されていることを特徴とする請求項１乃至請求項４の何れかに記載のコンタクトレンズ殺菌／消毒液用失活剤。
【請求項６】
カチオン性の殺菌剤若しくは消毒剤を含む殺菌／消毒液中にコンタクトレンズを浸漬して、かかるコンタクトレンズの殺菌乃至は消毒を行なう一方、該殺菌／消毒液に、請求項１乃至請求項５の何れかに記載の失活剤を接触せしめて、前記コンタクトレンズを殺菌乃至は消毒した後に、前記殺菌／消毒液の殺菌力又は消毒力を低下乃至は消失させることを特徴とするコンタクトレンズの殺菌／消毒処理方法。
【請求項７】
前記失活剤が、フィルム状、プレート状又はタブレット状の形状を呈している請求項６に記載のコンタクトレンズの殺菌／消毒処理方法。
【請求項８】
前記カチオン性殺菌剤若しくは消毒剤が、ビグアニド系殺菌若しくは消毒剤である請求項６又は請求項７に記載のコンタクトレンズの殺菌／消毒処理方法。
【請求項９】
前記ビグアニド系殺菌若しくは消毒液が、ポリヘキサメチレンビグアニドである請求項８に記載のコンタクトレンズの殺菌／消毒処理方法。
【請求項１０】
前記殺菌／消毒剤を所定のコンタクトレンズ用保存ケース内に収容して、前記コンタクトレンズの殺菌乃至は消毒を行なう一方、該保存ケース内に、前記失活剤を独立した別部材として存在させ、或いは該保存ケースの前記殺菌／消毒液との接触面の少なくとも一部に、前記失活剤を一体的に存在せしめたことを特徴とする請求項６乃至請求項９の何れかに記載のコンタクトレンズの殺菌／消毒処理方法。
【請求項１１】
カチオン性の殺菌剤若しくは消毒剤を含む殺菌／消毒液が収容されて、コンタクトレンズが浸漬せしめられることにより、請求項６乃至請求項９の何れかに記載の殺菌／消毒処理方法が実施されるようにしたコンタクトレンズ用保存ケースにして、該保存ケースの前記殺菌／消毒液との接触面の少なくとも一部に、請求項１乃至請求項５の何れかに記載の失活剤が、一体的に存在せしめられていることを特徴とするコンタクトレンズ用保存ケース。
【発明の詳細な説明】
【技術分野】
【０００１】
本発明は、コンタクトレンズ殺菌／消毒液用失活剤及びそれを用いたコンタクトレンズの殺菌／消毒処理方法に係り、特に、コンタクトレンズ殺菌／消毒液の殺菌力又は消毒力を一定時間持続させた後、消失せしめることの出来る失活剤と、それを用いてコンタクトレンズを有利に殺菌乃至は消毒処理する方法に関するものである。
【背景技術】
【０００２】
従来より、コンタクトレンズは、その材質に応じて、非含水性コンタクトレンズと含水性コンタクトレンズとに分類されたり、また、ハードコンタクトレンズとソフトコンタクトレンズとに分類されたり、更には、非イオン性コンタクトレンズとイオン性コンタクトレンズとに分類されたりしている。そして、それら何れのコンタクトレンズにあっても、それが継続して使用される場合において、コンタクトレンズを眼から外して保管している間に、レンズ表面に付着した細菌等の微生物が増殖する恐れがあるところから、一般に、コンタクトレンズに対しては、その装用前において消毒を施すことが必要とされているのであり、特に、ソフトコンタクトレンズにあっては、細菌等の微生物が繁殖しやすいために、装用前の消毒が極めて重要となっている。
【０００３】
このため、従来から、所定の殺菌剤若しくは消毒剤を含有せしめてなるコンタクトレンズ用液剤、即ち殺菌／消毒液が用いられ、この殺菌／消毒液に、コンタクトレンズが浸漬されて、目的とする殺菌／消毒処理が実施されている。そして、そのようなコンタクトレンズの殺菌／消毒液に添加せしめられる殺菌剤乃至は消毒剤としては、例えば、ポリヘキサメチレンビグアニド（ＰＨＭＢ）にて代表されるビグアニド化合物や、塩化ベンザルコニウム、ポリクオタニウム（Polyquaternium）等にて代表される４級アンモニウム化合物等のカチオン性の殺菌剤若しくは消毒剤が、他の殺菌剤又は消毒剤に比して特に有用な殺菌・消毒特性を有するところから、広く採用されている。また、そのような目的をもったコンタクトレンズ用液剤が、例えば、殺菌剤乃至は消毒剤を含む、洗浄、すすぎ、保存可能な殺菌又は消毒液等としてのマルチパーパスソリューションと呼ばれて、用いられてきている。
【０００４】
ところで、それら従来からの有用なコンタクトレンズ用液剤としての殺菌／消毒液は、簡便に用いることが出来るようになっている一方、その使用方法によっては、殺菌／消毒液中の殺菌剤又は消毒剤が、コンタクトレンズに付着した形態において直接に眼に入る恐れがあり、特に殺菌／消毒効果を高めるべく、殺菌剤乃至は消毒剤の濃度を高めたりすると、そのような殺菌剤乃至は消毒剤の侵入の恐れは更に大きくなって、眼刺激等の障害が惹起される恐れもあり、安全性の面から問題を生じることとなる。
【０００５】
このため、そのような問題に対処すべく、かかるコンタクトレンズ用の殺菌／消毒液がカチオン性の殺菌／消毒剤（カチオン性成分）を含有しているところから、そのようなカチオン性成分を、アニオン性成分との間においてイオン的な結合を図り、かかるカチオン性成分の殺菌力乃至は消毒力を消失させて、失活せしめる方策が検討されてきており、例えば、特開平５−２３７１７２号公報（特許文献１）には、陽イオン抗菌剤と、コンタクトレンズの消毒を可能にする速度で、該抗菌剤を充分に除去し、消毒されるコンタクトレンズ表面への抗菌剤の蓄積を防止する捕捉要素とを用いて、コンタクトレンズを滅菌或いは消毒する方法が明らかにされている。そしてそこでは、所定の電荷に荷電した抗菌剤を用いる場合に、捕捉要素としては、そのような電荷を補完するような材料を用いることが明らかにされ、更に、そのような抗菌剤として、陽イオン抗菌剤又は陰イオン抗菌剤が、また捕捉要素としては、イオン交換樹脂やＮ−アシルサルコシン、負に荷電のスルホン酸基を有する反応性染料等が、例示されている。
【０００６】
また、カチオン性成分（殺菌／消毒剤）と共に、アニオン性成分を含むコンタクトレンズ用液剤として、特表２００１−５１６７１３号公報（特許文献２）には、カチオン性抗菌剤であるＰＨＭＢとアニオン性ポリマーであるキサンタンを含む溶液を用い、この溶液中に、コンタクトレンズを浸漬せしめる例が示されており、更に、特開２０００−２４１７７３号公報（特許文献３）には、カチオン性抗菌剤であるＰＨＭＢと共に、アニオン性界面活性剤、例えばＤＯＳＳ（ジオクチルスルホコハク酸ナトリウム）を併用してなるコンタクトレンズ用処理溶液も、明らかにされている。
【０００７】
しかしながら、コンタクトレンズが浸漬せしめられる液剤中に、カチオン性の殺菌剤若しくは消毒剤の如きカチオン性成分と共に、アニオン性成分が共存せしめられると、それら両成分のイオン的な結合が迅速に惹起されることとなるところから、カチオン性の殺菌剤乃至は消毒剤の殺菌／消毒力が、直ちに低下して、失活してしまい、充分な時間の間、コンタクトレンズを殺菌剤乃至は消毒剤に接触させることが困難となり、そのために、殺菌乃至は消毒処理を効果的に施し得なくなるという問題があり、また、上記した特許文献１に明らかにされている捕捉要素としてのアニオン性成分を用いた場合においても、殺菌剤／消毒剤の失活速度を有効にコントロールすることは困難であって、適切な殺菌／消毒時間の維持と適度な失活時間とのバランスを保つことは難しいという問題が内在しているのである。加えて、特許文献２、３においては、カチオン性抗菌剤であるＰＨＭＢの抗菌力を一定時間保持させた後、それを失活せしめるという思想についても、何等、明らかにされてはいないのである。
【０００８】
ここで、本発明に関連する先行技術文献としては、以下のものがある。
【特許文献１】特開平５−２３７１７２号公報
【特許文献２】特表２００１−５１６７１３号公報
【特許文献３】特開２０００−２４１７７３号公報
【発明の開示】
【発明が解決しようとする課題】
【０００９】
ここにおいて、本発明は、かかる事情を背景にして為されたものであって、その解決課題とするところは、コンタクトレンズの殺菌乃至は消毒操作における安全性を高め得るコンタクトレンズ殺菌／消毒液用失活剤を提供することにあり、また、それを用いたコンタクトレンズの有効な殺菌／消毒処理方法や、そのような方法に好適に用いられ得るコンタクトレンズ用保存ケースを提供することにあり、更に、コンタクトレンズ殺菌／消毒液中のカチオン性の殺菌剤若しくは消毒剤の失活速度を効果的にコントロールして、適切な殺菌乃至は消毒時間の維持と適度な失活時間とのバランスを有利に保つことの出来る失活剤と、それを用いたコンタクトレンズの処理技術を提供することにある。
【課題を解決するための手段】
【００１０】
そして、本発明にあっては、そのような課題を解決するために、カチオン性の殺菌剤若しくは消毒剤を含むコンタクトレンズ殺菌／消毒液に接触して、該殺菌／消毒液の殺菌力又は消毒力を、コンタクトレンズの殺菌乃至は消毒に充分な時間の経過後において低下乃至は消失させる失活剤にして、アニオン性モノマーと親水性を有するノニオン性モノマーとの共重合によって得られる親水性のアニオン性コポリマーから構成されていることを特徴とするコンタクトレンズ殺菌／消毒液用失活剤を、その要旨とするものである。
【００１１】
なお、この本発明に従うコンタクトレンズ殺菌／消毒液用失活剤の望ましい態様の一つによれば、前記アニオン性モノマーと前記ノニオン性モノマーとは、９０：１０〜１０：９０の重量割合において共重合せしめられており、その得られた親水性のアニオン性コポリマーにて、前記失活剤が構成されるようになっている。
【００１２】
また、本発明の望ましい他の態様によれば、前記ノニオン性モノマーは、水酸基含有（メタ）アクリレートであり、且つ前記アニオン性モノマーと該ノニオン性モノマーとが、９０：１０〜５０：５０の重量割合において共重合せしめられている。
【００１３】
さらに、本発明に従うコンタクトレンズ殺菌／消毒液用失活剤の望ましい他の一つの態様によれば、前記ノニオン性モノマーは、（メタ）アクリルアミド若しくはそのＮ置換誘導体であり、且つ前記アニオン性モノマーと該ノニオン性モノマーとが、７０：３０〜３０：７０の重量割合において共重合せしめられているものである。
【００１４】
加えて、本発明に係るコンタクトレンズ殺菌／消毒液用失活剤の更に望ましい態様によれば、上述した各態様における親水性のアニオン性コポリマーは架橋されており、これによって、接触せしめられるコンタクトレンズ殺菌／消毒液への溶出が回避されるようになっている。
【００１５】
また、本発明は、上述した失活剤を用いたコンタクトレンズの殺菌／消毒処理方法として、カチオン性の殺菌剤若しくは消毒剤を含む殺菌／消毒液中にコンタクトレンズを浸漬して、かかるコンタクトレンズの殺菌乃至は消毒を行なう一方、該殺菌／消毒液に、上述の如き失活剤を接触せしめて、前記コンタクトレンズを殺菌乃至は消毒した後に、前記殺菌／消毒液の殺菌力又は消毒力を低下乃至は消失させることを特徴とするコンタクトレンズの殺菌／消毒処理方法をも、その要旨とするものである。
【００１６】
そして、そのような本発明に従うコンタクトレンズの殺菌／消毒処理方法の好ましい態様によれば、前記失活剤は、フィルム状、プレート状又はタブレット状の形状を呈していることが好ましく、また、前記カチオン性殺菌剤若しくは消毒剤は、ビグアニド系殺菌若しくは消毒剤であることが望ましく、更に、そのようなビグアニド系殺菌若しくは消毒剤としては、ポリヘキサメチレンビグアニドが有利に用いられることとなる。
【００１７】
また、かかる本発明に従うコンタクトレンズの殺菌／消毒処理方法の他の望ましい態様によれば、前記殺菌／消毒液を所定のコンタクトレンズ用保存ケース内に収容して、前記コンタクトレンズの殺菌乃至は消毒を行なう一方、該保存ケース内に、前記失活剤を独立した別部材として存在させ、或いは該保存ケースの前記殺菌／消毒液との接触面の少なくとも一部に、前記失活剤を一体的に存在せしめたことを特徴としている。
【００１８】
さらに、本発明にあっては、上記した本発明に従うコンタクトレンズの殺菌／消毒処理方法を有利に実施するために、カチオン性の殺菌剤若しくは消毒剤を含む殺菌／消毒液が収容されて、コンタクトレンズが浸漬せしめられることにより、上述せる如き殺菌／消毒処理方法が実施されるようにしたコンタクトレンズ用保存ケースにして、該保存ケースの前記殺菌／消毒液との接触面の少なくとも一部に、前述せる如き本発明に従う失活剤が、一体的に存在せしめられていることを特徴とするコンタクトレンズ用保存ケースを、その要旨とするものである。
【００１９】
なお、そのような本発明に従うコンタクトレンズ用保存ケースにおいては、前記した本発明に従う失活剤を一体的に存在せしめるべく、一般に、かかる保存ケースの一部が、失活剤若しくはそれを含む樹脂組成物にて形成されたり、また、保存ケースの内面に、かかる失活剤若しくはそれを含む樹脂組成物からなる被覆層が一体的に形成され、以て、保存ケースの殺菌／消毒液との接触面の少なくとも一部において、失活剤と殺菌／消毒液との接触が行われ得るようにされることとなる。
【発明の効果】
【００２０】
このように、本発明においては、アニオン性モノマーと親水性を有するノニオン性モノマーとの共重合によって得られる、親水性のアニオン性コポリマーから構成される失活剤を用いて、これに、カチオン性の殺菌剤若しくは消毒剤を含む殺菌／消毒液を接触せしめて、かかるカチオン性の殺菌剤若しくは消毒剤を吸着させ、失活せしめるようにしたことにより、その失活速度を効果的にコントロールすることが出来ることとなり、以て、適切な殺菌若しくは消毒時間の維持と適度な失活時間とのバランスを有利に取ることが出来ることとなったのである。即ち、コンタクトレンズの殺菌／消毒液中の殺菌／消毒剤が、適度なスピードにて、失活剤に吸着されることとなるところから、コンタクトレンズの殺菌又は消毒に充分な時間が確保されて、有効な殺菌／消毒処理が行なわれる一方、そのような殺菌乃至は消毒処理の後の、充分な時間の経過後における眼に対する装用時までには、殺菌／消毒液中の殺菌／消毒剤は、本発明に従う失活剤にて吸着されて、その殺菌力乃至は消毒力が低下せしめられ、失活されるものであるところから、そのような失活剤の存在下において殺菌／消毒処理されたコンタクトレンズは、眼に対する安全性がより一層向上せしめられたものとなっているのである。
【００２１】
また、本発明に従う前記したコンタクトレンズの殺菌／消毒処理方法によれば、コンタクトレンズの殺菌乃至は消毒を行なう殺菌／消毒液に、本発明に従う特定の失活剤を接触せしめて、かかる殺菌／消毒液中のカチオン性の殺菌剤若しくは消毒剤を吸着させ、その失活を行なうようにすることによって、コンタクトレンズに対して有効な殺菌乃至は消毒処理が施される一方、そのような殺菌乃至は消毒処理が終了したコンタクトレンズには、殺菌剤乃至は消毒剤は、ほとんど残存することがないところから、その再装用に際して、その安全性は、著しく向上され得ることとなる。
【００２２】
さらに、本発明の前記したコンタクトレンズ用保存ケースにあっては、本発明に従う失活剤が、かかる保存ケースの殺菌／消毒液との接触面の少なくとも一部に、一体的に存在せしめられているところから、そのような保存ケース内に、殺菌／消毒液と共に、コンタクトレンズを収容せしめるだけで、所定時間の経過後には、安全で、再装用可能な殺菌／消毒済みコンタクトレンズを得ることが出来ることに加えて、失活剤による殺菌／消毒剤の吸着力が低下するまでは、かかる保存ケースを、繰り返して、コンタクトレンズの殺菌／消毒処理に用いることが可能である。
【発明を実施するための最良の形態】
【００２３】
ところで、本発明は、特定の親水性のアニオン性コポリマーから構成される失活剤を用い、それを、カチオン性の殺菌剤若しくは消毒剤を含むコンタクトレンズ殺菌／消毒液に接触せしめて、かかる殺菌／消毒液の殺菌力又は消毒力を、コンタクトレンズの殺菌乃至は消毒に充分な時間の経過後において低下乃至は消失させるようにしたものであるが、そこで用いられる殺菌／消毒液としては、カチオン性の殺菌剤若しくは消毒剤として、従来から公知の各種の、ビグアニド系や４級アンモニウム塩系等の殺菌剤若しくは消毒剤を含む公知の液剤が、適宜に用いられることとなる。中でも、ビグアニド系殺菌／消毒剤にあっては、４級アンモニウム塩系の殺菌／消毒剤に比して、他の液剤成分による殺菌阻害を受け難く、少量であっても優れた殺菌効果を奏し得ると共に、本発明に従う失活剤による失活時間の制御を容易に行い得るところから、より一層有利に用いられるのである。
【００２４】
なお、上記したカチオン性の殺菌剤若しくは消毒剤のうち、ビグアニド系殺菌／消毒剤としては、例えば、ポリヘキサメチレンビグアニド（ＰＨＭＢ）や、下記の構造式（Ｉ）にて示されるビグアニド系ポリマー等を挙げることが出来る。
【００２５】
【化１】
2005080817.tif 000002
【００２６】
一方、４級アンモニウム塩系殺菌／消毒剤としては、例えば、アルキルトリメチルアンモニウムクロライド等のテトラアルキルアンモニウム塩や、オクタデシルジメチルベンジルアンモニウムクロライド等のトリアルキルベンジルアンモニウム塩の如きアルキルアンモニウム塩類；ヒドロキシエチルアルキルイミダゾリンクロライドに代表されるアルキルヒドロキシアルキルイミダゾリン４級塩類；アルキルイソキノリニウムブロマイドに代表されるアルキルイソキノリニウム塩類；アルキルピリジニウム塩類；アミドアミン類等のカチオン性界面活性剤の他、下記の構造式（II）〜（IV）にて表される４級アンモニウムポリマーや、特許第２５５００３６号明細書に開示の如き、ジアミン類とジハロゲン化合物との縮合体、特開平４−２３１０５４号公報、特表平８−５１２１４５号公報、特開平１１−２４９０８７号公報等に開示されているポリカチオン性のものや、ハロゲン化ベンザルコニウム等が挙げられる。
【００２７】
【化２】
2005080817.tif 000003
【００２８】
【化３】
2005080817.tif 000004
【００２９】
【化４】
2005080817.tif 000005
【００３０】
そして、かくの如きカチオン性の殺菌剤若しくは消毒剤は、通常、０．０００００１〜０．５重量％（ｗ／ｗ％）程度、好ましくは０．０００００１〜０．３重量％（ｗ／ｗ％）程度、更に好ましくは、０．００００１〜０．１重量％（ｗ／ｗ％）程度の範囲で用いられることとなる。なお、そのような殺菌剤乃至は消毒剤の含有量が過少となる場合には、コンタクトレンズに対する充分な殺菌効果乃至は消毒効果を得ることが困難となるのであり、また、過多となる場合には、コンタクトレンズへの吸着が促進される等の問題に加えて、本発明に従う失効剤をもってしても、そのような殺菌／消毒剤の失効が困難となる場合を生じる恐れがある。
【００３１】
また、そのようなコンタクトレンズの殺菌／消毒液中には、上記の如きカチオン性の殺菌剤若しくは消毒剤の他に、よく知られているように、その用途等に応じて、更に、等張化剤、ｐＨ調整剤、緩衝剤、界面活性剤、キレート化剤、増粘剤等の、従来から点眼剤やコンタクトレンズ用殺菌液等のコンタクトレンズ用液剤、及び化粧品等の液剤等に添加、含有せしめられている、公知の各種の添加剤が、適宜に選択されて、含有せしめられていても、何等、差し支えない。
【００３２】
さらに、かくの如き殺菌／消毒液にて殺菌乃至は消毒処理せしめられるコンタクトレンズとしても、本発明にあっては、その種類が何等限定されるものではなく、例えば、非含水、低含水、高含水等の全てに分類されるソフトコンタクトレンズや、ハードコンタクトレンズが、その対象となり得るものである。中でも、殺菌剤成分乃至は消毒剤成分が内部に取り込まれやすいソフトコンタクトレンズに対して、本発明を適用することは、そのようなレンズへの殺菌成分乃至は消毒成分の取り込み乃至は吸着を軽減若しくは阻止する上においても、有効となるものである。
【００３３】
ここにおいて、本発明は、上述の如き殺菌／消毒液にてコンタクトレンズを殺菌乃至は消毒するに際して、かかる殺菌／消毒液の殺菌力又は消毒力をコンタクトレンズの殺菌乃至は消毒に充分な時間の経過後において低下乃至は消失させる失活剤として、アニオン性モノマーと親水性を有するノニオン性モノマーとの共重合によって得られる親水性のアニオン性コポリマーから構成されるものを用いることとしたところに、大きな特徴を有するものであって、このように、アニオン性モノマーと所定のノニオン性モノマーとを組み合わせて、共重合せしめ、それぞれ重合体中に含有、存在させることにより、カチオン性成分たる殺菌／消毒剤の収着、拡散吸収等に基づくところの吸着を、効果的に制御せしめ得るように為し、以て、コンタクトレンズの殺菌乃至は消毒に充分な時間の間は、殺菌力若しくは消毒力が維持、発揮され得るように為す一方、そのような殺菌／消毒時間の経過の後において、眼に装用する時間に至った場合においては、殺菌剤乃至は消毒剤の吸着により、最早、その殺菌力乃至は消毒力が低下若しくは消失されるようにして、殺菌／消毒後のコンタクトレンズの安全性を効果的に高めているのである。特に、そのようなコポリマーは、殺菌／消毒剤の吸着（収着、拡散吸収）を制御し易くするために、アニオン性モノマーから導入されるアニオン性基を有すると共に、親水性となるように構成されている必要がある。
【００３４】
なお、この本発明に従う失活剤を構成する親水性のアニオン性コポリマーを与えるアニオン性モノマーとしては、カルボキシル基やスルホン酸基等の酸性基を有する不飽和モノマー（化合物）であって、具体的には、（メタ）アクリル酸として表示されるアクリル酸、メタクリル酸；無水マレイン酸；マレイン酸；フマール酸；フマール酸誘導体等のカルボキシル基含有の不飽和モノマーが、有利に用いられることとなる。そして、それらアニオン性モノマーの中でも、カチオン性殺菌／消毒剤の活性を有効に失活させるという点よりして、（メタ）アクリル酸が有利に用いられることとなる。
【００３５】
また、かかるアニオン性モノマーと共重合せしめられるノニオン性モノマーは、得られるコポリマーの親水性を高めて、殺菌／消毒剤の吸着（収着、拡散吸収）を制御し易くするために、親水性を有していることが必要である。そして、そのような親水性を有するノニオン性モノマーとしては、具体的には、例えば、ヒドロキシエチル（メタ）アクリレート、ヒドロキシプロピル（メタ）アクリレート、ヒドロキシブチル（メタ）アクリレート、ジヒドロキシプロピル（メタ）アクリレート、ジヒドロキシブチル（メタ）アクリレート、ジエチレングリコールモノ（メタ）アクリレート、トリエチレングリコールモノ（メタ）アクリレート、プロピレングリコールモノ（メタ）アクリレート、ジプロピレングリコールモノ（メタ）アクリレート等の水酸基含有（メタ）アクリレート；（メタ）アクリルアミド、Ｎ−メチル（メタ）アクリルアミド、Ｎ−エチル（メタ）アクリルアミド、Ｎ  ，Ｎ−ジメチル（メタ）アクリルアミド、Ｎ，Ｎ−ジエチル（メタ）アクリルアミド、Ｎ，Ｎ−メチルエチル（メタ）アクリルアミド等の（メタ）アクリルアミド若しくはその誘導体（Ｎ置換）；Ｎ−ビニルピロリドン、Ｎ−ビニルピペリドン、Ｎ−ビニルカプロラクタム、Ｎ−ビニルカプリルラクタム、１−メチル−３−メチレン−２−ピロリドン等のビニルラクタム類；アミノエチル（メタ）アクリレート、Ｎ−メチルアミノエチル（メタ）アクリレート、Ｎ，Ｎ−ジメチルアミノエチル（メタ）アクリレート、２−ブチルアミノエチル（メタ）アクリレート等のアミノアルキル（メタ）アクリレート類；メトキシエチル（メタ）アクリレート、エトキシエチル（メタ）アクリレート、メトキシジエチレングリコール（メタ）アクリレート等のアルコキシル基含有（メタ）アクリレート；アミノスチレン；ヒドロキシスチレン等を挙げることが出来、これらは、単独で、または２種以上を組み合わせて、用いることが出来る。そして、これらの中でも、殺菌又は消毒剤の吸着（収着、拡散吸収）を制御し易いという点から、水酸基含有（メタ）アクリレート、（メタ）アクリルアミド若しくはそのＮ置換誘導体、及びビニルラクタム類からなる群より選ばれた少なくとも１種以上が、有利に用いられ、更に、水酸基含有（メタ）アクリレート、或いは（メタ）アクリルアミド若しくはそのＮ置換誘導体が、特に有利に用いられることとなる。
【００３６】
なお、本明細書において、モノマー表記に関し、「・・・（メタ）アクリレート」とあるのは、「・・・アクリレート」及び「・・・メタクリレート」の二つの化合物を示すものであり、その他の（メタ）アクリル化合物についても、同様に二つの化合物を表す表現として、理解されるべきである。
【００３７】
そして、本発明にあっては、上記したアニオン性モノマーと親水性のノニオン性モノマーとを共重合して得られる、へテロ或いはブロックコポリマーである親水性のアニオン性コポリマーにて、目的とする失活剤が構成されることとなるのであり、その際、そのような親水性のアニオン性コポリマーを与える、アニオン性モノマーと親水性のノニオン性モノマーとの共重合割合は、適切な殺菌／消毒時間の維持と適度な失活時間の確保とのバランス等を考慮して、適宜に選定されることとなるが、一般に、重量割合（重量比）において、アニオン性モノマー：ノニオン性モノマー＝９０：１０〜１０：９０の範囲内において選定されることとなる。なお、かかるアニオン性モノマーの共重合割合が多くなり過ぎると、殺菌／消毒剤の失活速度が速くなり過ぎ、コンタクトレンズの殺菌又は消毒に充分な時間の間、維持することが困難となる問題が惹起され易く、また、ノニオン性モノマーの割合が多くなり過ぎて、アニオン性モノマーの割合が少ないと、眼に対する再度の装用に至る時間までに、殺菌／消毒剤が充分に失活され難くなる等の問題を惹起する恐れがある。
【００３８】
特に、そのような親水性のアニオン性コポリマーにおけるアニオン性モノマーとノニオン性モノマーとの共重合割合は、アニオン性モノマーの種類に応じて、上記した一般的な共重合割合の範囲内において、殺菌／消毒剤が適度のスピードで吸着されるようにして、コンタクトレンズの殺菌又は消毒に充分な時間の間、維持され得るようにする一方、そのような殺菌又は消毒処理されたコンタクトレンズを、再び眼に装用する時間までには、殺菌／消毒剤が失活されるようにして、コンタクトレンズを安全に使用することが出来るように選定されることとなるが、中でも、本発明において、ノニオン性モノマーとして好適に用いられる水酸基含有（メタ）アクリレートの場合においては、アニオン性モノマーとノニオン性モノマーとの共重合割合は、重量比にて、９０：１０〜５０：５０、好ましくは８５：１５〜５５：４５の範囲において選定され、また、ノニオン性モノマーとして、（メタ）アクリルアミド若しくはそのＮ置換誘導体を用いる場合にあっては、アニオン性モノマーとノニオン性モノマーとの共重合割合は、重量比にて、７０：３０〜３０：７０、好ましくは６５：３５〜３５：６５の範囲内において、選定されることとなる。
【００３９】
また、かかるアニオン性モノマーとノニオン性モノマーとを共重合して得られる親水性のアニオン性コポリマーは、殺菌／消毒剤の吸着（収着）を制御し易くすることに加えて、ポリマーの形状安定性を確保する等の点から、従来と同様な架橋性モノマーを用いて、架橋されていることが望ましい。そして、そのような架橋性モノマーの代表例としては、例えば、エチレングリコールジ（メタ）アクリレート、ジエチレングリコールジ（メタ）アクリレート、トリエチレングリコールジ（メタ）アクリレート、プロピレングリコールジ（メタ）アクリレート、ジプロピレングリコールジ（メタ）アクリレート、ジアリルフマレート、アリル（メタ）アクリレート、ビニル（メタ）アクリレート、トリメチロールプロパントリ（メタ）アクリレート、メタクリロイルオキシエチル（メタ）アクリレート、ジビニルベンゼン、ジアリルフタレート、アジピン酸ジアリル、トリアリルジイソシアネート、α−メチレン−Ｎ−ビニルピロリドン、４−ビニルベンジル（メタ）アクリレート、３−ビニルベンジル（メタ）アクリレート、２，２−ビス［（メタ）アクリロイルオキシフェニル］ヘキサフルオロプロパン、２，２−ビス［（メタ）アクリロイルオキシフェニル］プロパン、１，４−ビス［２−（メタ）アクリロイルオキシヘキサフルオロイソプロピル］ベンゼン、１，３−ビス［２−（メタ）アクリロイルオキシヘキサフルオロイソプロピル］ベンゼン、１，２−ビス［２−（メタ）アクリロイルオキシヘキサフルオロイソプロピル］ベンゼン、１，４−ビス［２−（メタ）アクリロイルオキシイソプロピル］ベンゼン、１，３−ビス［２−（メタ）アクリロイルオキシイソプロピル］ベンゼン、１，２−ビス［２−（メタ）アクリロイルオキシイソプロピル］ベンゼン等が挙げられ、そしてこれらは、単独で、または２種以上を組み合わせて用いられることとなる。
【００４０】
なお、このような架橋性モノマーは、前記したアニオン性モノマーとノニオン性モノマーとの共重合によって形成される親水性のアニオン性コポリマーを架橋せしめるために用いられるものであって、それらモノマーの共重合時に、その重合系に存在せしめられるものであり、一般に、その使用量は、それら重合せしめられるアニオン性モノマーとノニオン性モノマーの合計量の１００重量部あたり、０．０１重量部以上、好ましくは０．０５重量部以上の割合とされ、これによって、機械的強度の向上効果や耐久性の付与効果が充分に発揮されるのである。また、そのような架橋性モノマーの上限としては、親水性のアニオン性コポリマーの特性等に悪影響をもたらさないように、一般に、アニオン性モノマーとノニオン性モノマーの合計量の１００重量部に対して、１０重量部以下、好ましくは５重量部以下の値が採用されることとなる。
【００４１】
そして、上述の如きアニオン性モノマーとノニオン性モノマーとを、望ましくは架橋性モノマーの存在下において、共重合せしめ、目的とする親水性のアニオン性コポリマーを得るに際しては、従来から公知の各種の重合手法が採用され、例えば、ラジカル重合開始剤を更に配合せしめた後、室温から約１３０℃の温度範囲において徐々に加熱して、重合せしめる方法や、マイクロ波、紫外線、放射線（ガンマ線）等の電磁波を照射して、重合を行なう方法等が採用されることとなる。なお、加熱重合させる場合にあっては、連続的に昇温させる方式の他、段階的に昇温させる方式も採用可能である。
【００４２】
なお、上記した重合手法において用いられるラジカル重合開始剤としては、例えば、アゾビスイソブチルニトリル、アゾビスジメチルバレロニトリル、ベンゾイルパーオキサイド、ｔ−ブチルハイドロパーオキサイド、クメンハイドロパーオキサイド等の公知の各種のものを挙げることが出来、これらは、単独で、または２種以上組み合わせて、用いられることとなる。
【００４３】
また、上記の如きラジカル重合開始剤を用いた重合手法の他にも、よく知られているように、光線等を用いて、前記アニオン性モノマーとノニオン性モノマーの重合を行なうことも可能であり、その場合にあっては、光重合開始剤や増感剤が、更に添加されることが望ましい。
【００４４】
そして、そこで用いられる光重合開始剤や増感剤としては、従来から公知の各種のものが、適宜に選択使用されることとなるが、例えば光重合開始剤としては、メチルオルソベンゾイルベンゾエート、メチルベンゾイルホルメート、ベンゾインメチルエーテル、ベンゾインエチルエーテル、ベンゾインイソプロピルエーテル、ベンゾインイソブチルエーテル、ベンゾイン−ｎ−ブチルエーテル等のベンゾイン系光重合開始剤；２−ヒドロキシ−２−メチル−１−フェニルプロパン−１−オン、ｐ−イソプロピル−α−ヒドロキシイソブチルフェノン、ｐ−ｔ−ブチルトリクロロアセトフェノン、２，２−ジメトキシ−２−フェニルアセトフェノン、α，α−ジクロロ−４−フェノキシアセトフェノン、Ｎ，Ｎ−テトラエチル−４，４−ジアミノベンゾフェノン等のフェノン系光重合開始剤；１−ヒドロキシシクロヘキシルフェニルケトン；１−フェニル−１，２−プロパンジオン−２−（ｏ−エトキシカルボニル）オキシム；２−クロロチオキサンソン、２−メチルチオキサンソン等のチオキサンソン系光重合開始剤；ジベンゾスバロン；２−エチルアンスラキノン；ベンゾフェノンアクリレート；ベンゾフェノン；ベンジル等を挙げることが出来る。
【００４５】
また、重合形式としては、塊状重合法や、溶媒等を用いた溶液重合法等の公知の各種の重合手法が、目的とする失活剤の形状乃至は形態に応じて、適宜に採用され得、ここでは特に限定されるものではないが、一般に、所定形状の固形の失活剤として用いる場合にあっては、共重合成分（各モノマー）を、適当な重合型内又は重合容器内に収容して、かかる重合型内又は重合容器内において重合を行ない、棒状、ブロック状、板状等の素材（コポリマー）を得た後、必要に応じて切削加工、研磨加工等の機械加工によって、所望の形状に形成する切削加工法や、所望とする形状を与える重合型を用意し、この重合型の成形キャビティ内に所定の共重合成分を収容して、型内で重合を行なって、成形物を得る鋳型（モールド）成形法等、当業者に従来から公知の各種の手法が、適宜に採用されることとなる。
【００４６】
そして、このようにして得られた本発明に従う親水性のアニオン性コポリマーから、所望形状の失活剤が形成され、その得られた失活剤を用いて、本発明に従うコンタクトレンズの殺菌／消毒処理が実施されることとなるのである。
【００４７】
具体的には、カチオン性の殺菌剤若しくは消毒剤を含む殺菌／消毒液中にコンタクトレンズを浸漬して、かかるコンタクトレンズの殺菌乃至は消毒を行なう一方、かかる殺菌／消毒液に、前記した本発明に従う親水性のアニオン性コポリマーからなる失活剤を接触せしめて、コンタクトレンズを殺菌乃至は消毒した後に、そのようなコンタクトレンズが浸漬せしめられている殺菌／消毒液の殺菌力又は消毒力を消失させて、失活せしめ、その殺菌乃至は消毒処理されたコンタクトレンズを、そのような処理の後において、安全に再び眼に装用せしめ得るようにしたのである。
【００４８】
なお、かかる殺菌／消毒液と失活剤との接触の開始は、そのような殺菌／消毒液へのコンタクトレンズの浸漬に先立ち、或いはその浸漬と同時に、又はその浸漬の後に、行うことが可能であるが、特に、かかる浸漬に先立って殺菌／消毒液に失活剤を接触し始める場合にあっては、そのような失活剤にて殺菌／消毒液が失活されてしまわない間に、コンタクトレンズを殺菌／消毒液中に浸漬する必要がある。そして、そのような殺菌／消毒液に対する失活剤の接触を簡便に行い得る等の観点から、失活剤は、前記した親水性のアニオン性コポリマーから構成されてなるフィルム形状、プレート形状、タブレット（錠剤）形状等の有形の形状を呈する物体において、用いられることが望ましい。
【００４９】
また、コンタクトレンズをカチオン性の殺菌剤若しくは消毒剤を含む殺菌／消毒液に浸漬せしめるに際しては、一般に、そのような殺菌／消毒液を所定の容器内に収容した状態において、コンタクトレンズの浸漬操作が行なわれるものであるが、本発明にあっては、特に、コンタクトレンズを収容、保持するために、従来から用いられているコンタクトレンズ用保存ケースを利用し、この保存ケース内に殺菌／消毒液を収容して、放置することにより、コンタクトレンズの殺菌乃至は消毒が行われ得るようにする方式が、好適に採用され、そしてその際、かかる保存ケース内に、本発明に従う失活剤を独立した別部材、例えばフィルム、プレート或いはタブレット等の形状の物体として存在させ、殺菌／消毒液との接触を図ったり、或いは保存ケースの殺菌／消毒液との接触面の少なくとも一部に、本発明に従う失活剤を一体的に存在せしめるようにして、かかる殺菌／消毒液との接触を行う方式が、有利に採用されることとなる。
【００５０】
具体的には、コンタクトレンズ用保存ケースとしては、従来から公知のものが利用され得るものであって、例えば、図１に示される如き、有底円筒形状のケース本体１２と、その開口部に螺着されて、閉塞せしめる蓋体１４とを有する収納ケースが用いられ、そのケース本体１２内に所定の殺菌／消毒液１６を収容せしめ、更に、本発明に従う所定形状の失活剤（ここでは、タブレット形状）１８を収容せしめる一方、蓋体１４の内側に嵌着されたレンズホルダー２０に殺菌乃至は消毒処理されるべきコンタクトレンズ２２を保持せしめた状態において、蓋体１４をケース本体１２の開口部に螺着せしめることにより、本発明が実施されることとなるのである。即ち、上記のように操作することによって、コンタクトレンズ２２は、殺菌／消毒液１６に浸漬せしめられて、その殺菌乃至は消毒が行われる一方、殺菌／消毒液１６は、失活剤１８との接触により、漸次、失活され、所定時間の経過後においては、眼に対して悪影響をもたらさない程度の状態と為すようになっているのである。なお、この図１に示されるコンタクトレンズの収容ケースの構造については、例えば実公平７−３１１５２号公報等に明らかにされている公知の構造のものであるところから、ここでは更なる説明は省略することとする。また、かかる図１に示される構造のケースの他にも、実開平７−３４４３３号公報等に示される如きソフトコンタクトレンズ用ケースを利用することも可能である。
【００５１】
また、図１に示される収納ケース（１２，１４）においては、ケース本体１２内に、本発明に従う失活剤１８が、ケース本体１２とは独立した別部材として存在せしめられているが、また、図２に示される如く、ケース本体１２の内面に、失活剤からなる或いはそれを含む失活層２４を、所定厚さにおいて形成したり、更に、図３に示される如く、ケース本体の一部を、本発明に従う失活剤から構成される失活部２６として形成し、本発明に従う失活剤が、ケース本体１２に一体的に存在せしめられて、殺菌／消毒液との接触面の少なくとも一部を形成しているように構成することも可能である。なお、図１に示される如く、本発明に従う失活剤１８を、単に、ケース本体１２内に、別部材として収容配置せしめる場合にあっては、そのような失活剤１８の交換が容易であるという特徴があり、また図２や図３の如く、ケース本体１２内に失活剤（２４、２６）が一体的に存在せしめられるようにすれば、失活剤が収納ケース外に誤って取り出されるようなこともなく、単に、従来と同様なコンタクトレンズの殺菌／消毒操作を行なうのみにて、失活剤の寿命限度まで、収納ケース（１２，１４）をコンタクトレンズの殺菌／消毒操作に用いることが出来るという利点を享受することが出来る。
【００５２】
なお、このような図２や図３に示される、ケース本体１２に一体的に設けられた失活層２４や失活部２６は、先述した本発明に従う、親水性のアニオン性コポリマーを用いて、公知のコーティング操作や成形操作、或いは結合操作にて形成され得、また、そのようなアニオン性コポリマーに他の樹脂やバインダーなどを配合せしめてなる組成物を用いてコーティングしたり、成形したりすることによって形成することが可能である。更に、図３に示される失活部２６をケース本体１２の残余の部分とは別個に成形し、その得られた失活部２６とケース残余の部分とを接着等によって結合、一体化させることにより、ケース本体１２を得ることも可能である。
【００５３】
このように、保存ケース乃至は収納ケース（１２，１４）等を用いて、殺菌乃至は消毒されるべきコンタクトレンズ２２を、所定の殺菌／消毒液１６に浸漬する一方、そのような殺菌／消毒液を、本発明に従う失活剤１８（２４，２６）に接触せしめるようにすることによって、かかる殺菌／消毒液中の殺菌剤乃至は消毒剤は、失活剤１８（２４、２６）に、漸次、吸着（収着、拡散吸収）され、以て、そのような殺菌／消毒液の殺菌力又は消毒力が、コンタクトレンズ２２の殺菌乃至は消毒に充分な時間の経過後において、低下乃至は消失させられることとなるのである。なお、このコンタクトレンズ２２の殺菌又は消毒に充分な時間としては、コンタクトレンズ２２が殺菌／消毒液１６に浸漬されて、次回（再度）の使用に備えて、保存乃至は保持される時間を考慮して、適宜に決定されるところとなるが、一般に、接触開始後１０分経過するまでは、好ましくは３０分経過するまでは、殺菌／消毒液の殺菌力又は消毒力が保持されていることが望ましく、また、そのような殺菌力乃至は消毒力の保持は、最大限６時間以下、好ましくは４時間程度以下とされることが望ましい。そのような殺菌／消毒液の殺菌力又は消毒力が、長く保持されることは、失活剤（１８，２４，２６）の失活能が低いことを意味し、その場合において、本発明の目的を充分に達成し得なくなる等の問題を惹起することとなる。
【００５４】
そして、以上の如くして、殺菌乃至は消毒処理して得られたコンタクトレンズにあっては、それが浸漬せしめられた殺菌／消毒液中のカチオン性の殺菌剤若しくは消毒剤が、本発明に従う失活剤にて失活せしめられて、眼に対する悪影響が惹起されないようになっているところから、コンタクトレンズを再び装用するに際しては、その殺菌乃至は消毒したコンタクトレンズを、生理食塩水で注ぐ等の簡単な洗浄操作を施すだけで、装用することが可能であり、更には、本発明に従って失活された殺菌／消毒液からコンタクトレンズを取り出して、そのまま、直接に、眼に装用することも可能である。
【００５５】
以下に、本発明の実施例を含む、幾つかの実験例を示し、本発明を更に具体的に明らかにすることとするが、本発明が、そのような実験例の記載によって、何等の制約をも受けるものでないことは、言うまでもないところである。また、本発明には、以下の実施例の他にも、更には上記の具体的記述以外にも、本発明の趣旨を逸脱しない限りにおいて、当業者の知識に基づいて、種々なる変更，修正、改良等を加え得るものであることが、理解されるべきである。
【実施例１】
【００５６】
先ず、アニオン性モノマーとして、メタクリル酸（ＭＡＡ）を準備する一方、親水性のノニオン性モノマーとして、ヒドロキシエチルメタクリレート（ＨＥＭＡ）を準備した。そして、それら二種のモノマーを、下記表１に示される割合において混合し、その混合物と共に、この混合物の１００重量部に対して、架橋性モノマーとしてのエチレングリコールジメタクリレート（ＥＧＭＡ）の１重量部と、重合開始剤としての２−ヒドロキシ−２−メチル−１−フェニルプロパン−１−オンの０．１重量部とを、ポリプロピレン製鋳型に、それぞれ注入した。
【００５７】
【表１】
2005080817.tif 000006
【００５８】
次いで、かかる重合成分の注入された鋳型に対し、ブラックライトを用いて、波長：３６５ｎｍにおける照度が２ｍＷ／ｃｍ2 の紫外線を６０分間照射することにより、光重合を行わしめ、目的とする親水性のアニオン性コポリマー（共重合体）を形成した。その後、かかる形成されたアニオン性コポリマーを、鋳型から脱離させた後、生理食塩水中に浸漬せしめ、給水させて、水和処理を施し、直径：２０mm、厚さ：０．２mmのプレート（失活剤）を得た。
【００５９】
そして、このようにして得られたプレートを、５ｐｐｍの濃度のＰＨＭＢ溶液（殺菌／消毒液）の２０ｍＬに４時間浸漬せしめる一方、所定時間ごとにＰＨＭＢ溶液の４ｍＬを採取し、それについて、カンジダ・アルビカンス（Candida Albicans ＩＦＯ １５９４）を用いて、殺菌又は消毒効力試験を実施した。なお、その試験方法は、ＩＳＯ１４７２９ Stand Alone Testに従った。殺菌又は消毒効力について、対数に換算した菌減少数（log reduction）として求め、その結果を、下記表２に示した。
【００６０】
【表２】
2005080817.tif 000007
【００６１】
ところで、かかるlog reduction が１以上となると、殺菌又は消毒活性があり、１未満になると、失活していると考えられる一方、コンタクトレンズの殺菌又は消毒処理は１０分〜３０分程度で充分であることを考えると、上記の表２の結果よりして、ノニオン性モノマー（ＨＥＭＡ）が共重合されていないアニオン性モノマー（ＭＡＡ）のホモポリマーである実験例１においては失活が早過ぎ、充分な殺菌／消毒処理が出来ないことが理解されるのである。また、アニオン性モノマーが共重合されていないノニオン性モノマー（ＨＥＭＡ）のホモポリマーを用いた実験例６では、４時間後においても、殺菌／消毒剤が失活していないことが認められる。
【００６２】
これに対して、実験例２〜５にあっては、アニオン性モノマー（ＭＡＡ）とノニオン性モノマー（ＨＥＭＡ）との共重合体が用いられているのであるが、そこでは、何れも、４時間後には、殺菌／消毒液（ＰＨＭＢ溶液）が失活していることが認められるのである。また、それら実験例２〜５では、３０分〜１時間程度で失活していることが認められ、これにより、コンタクトレンズを充分に殺菌又は消毒した後、殺菌／消毒剤が失活することとなるという、より使用に適した状態となっていることが理解される。また、特に、実験例２及び３においては、アニオン性モノマーとノニオン性モノマーとの共重合割合が８０：２０〜６０：４０となっているが、そのような共重合体を用いた場合にあっては、３０分後でも充分に殺菌又は消毒活性であるものの、４時間後には充分に失活していることが認められ、より一層好ましい失活剤となっていると言うことが出来るのである。
【実施例２】
【００６３】
アニオン性モノマーとして、実施例１と同様なＭＡＡを用いる一方、親水性を有するノニオン性モノマーとして、Ｎ、Ｎ−ジメチルアクリルアミド（ＤＭＡＡ）を用いて、下記表３に示される配合割合において配合せしめること以外は、実施例１と同様にして、重合を行い、各種の（共）重合体からなるプレートを得た。そして、その得られた各種のプレートについて、それぞれ、ＰＨＭＢ溶液を用いたカンジダ・アルビカンスに対する殺菌又は消毒効力試験を、実施例１と同様にして実施し、その結果を、log reduction として、下記表４に示した。
【００６４】
【表３】
2005080817.tif 000008
【００６５】
【表４】
2005080817.tif 000009
【００６６】
かかる表４の結果より明らかなように、ノニオン性モノマー（ＤＭＡＡ）が共重合されていない、アニオン性モノマー（ＭＡＡ）のホモポリマーからなるプレートを用いた実験例７においては、ＰＨＭＢ溶液の失活が早過ぎ、充分な殺菌／消毒処理が出来ず、また、アニオン性モノマー（ＭＡＡ）が共重合されていない、ＤＭＡＡのホモポリマーからなるプレートを用いた実験例１１においては、ＰＨＭＢ溶液の失活が行われ得ないことが、認められるのである。
【００６７】
一方、本発明に従って、アニオン性モノマー（ＭＡＡ）とノニオン性モノマー（ＤＭＡＡ）との共重合体からなるプレートを用いる実験例８〜１０においては、３０分〜１時間程度で失活していることから、コンタクトレンズを充分に殺菌又は消毒した後、殺菌又は消毒剤が失活するという状態が実現され、より使用に適したものとなっているのである。特に、実験例８や９の場合（アニオン性モノマー：ノニオン性モノマー＝６０：４０〜４０：６０）においては、１０分後でも充分に殺菌又は消毒活性が認められる一方、３０分後には充分に失活している状態を認めることが出来る。
【図面の簡単な説明】
【００６８】
【図１】本発明に従うコンタクトレンズの殺菌／消毒処理方法を、コンタクトレンズ収納ケースを用いて、実施する形態の一例を示す縦断面説明図である。
【図２】本発明に従うコンタクトレンズの殺菌／消毒処理方法の他の実施の一例を示す、ケース本体部分のみの縦断面説明図である。
【図３】本発明に従うコンタクトレンズの殺菌／消毒処理方法の更に他の例を示す、ケース本体部分のみの縦断面説明図である。
【符号の説明】
【００６９】
１２  ケース本体                        １４  蓋体
１６  殺菌／消毒液                      １８  失活剤
２０  レンズホルダー                    ２２  コンタクトレンズ
２４  失活層                            ２６  失活部
【図１】
2005080817.tif 000010
【図２】
2005080817.tif 000011
【図３】
2005080817.tif 000012